(57)【要約】【課題】高倍率、広画角かつ小型で、色収差が良好に補正されたズームレンズを得ること。【解決手段】  物体側より像側へ順に、正の屈折力の第１レンズ群、負の屈折力の第２レンズ群、正の屈折力の第３レンズ群、１以上のレンズ群を含む後群により構成され、ズーミングに際して隣り合うレンズ群の間隔が変化するズームレンズにおいて、広角端に比べて望遠端において、第１レンズ群は物体側に移動しており、第１レンズ群は少なくとも４枚のレンズを有し、第１レンズ群に含まれる正レンズの材料、第１レンズ群の焦点距離ｆ１、広角端から望遠端へのズーミングにおける第１レンズ群の移動量Ｍ１をそれぞれ適切に設定する。【選択図】  図１
2015102803.tif 000002
【特許請求の範囲】
【請求項１】
物体側より像側へ順に、正の屈折力の第１レンズ群、負の屈折力の第２レンズ群、正の屈折力の第３レンズ群、１以上のレンズ群を含む後群により構成され、ズーミングに際して隣り合うレンズ群の間隔が変化するズームレンズにおいて、
広角端に比べて望遠端において、前記第１レンズ群は物体側に位置しており、
前記第１レンズ群は、少なくとも４枚のレンズを有し、
前記第１レンズ群に含まれる正レンズの材料のアッベ数をνｄ１Ｐとして、前記第１レンズ群は、
８５．０＜νｄ１Ｐ＜１００．０
なる条件式を満足する材料を用いた正レンズを１枚以上有し、
広角端における全系の焦点距離をｆＷ、広角端から望遠端へのズーミングにおける前記第１レンズ群の光軸上の移動量をＭ１としたとき、
５．０＜Ｍ１／ｆＷ＜４０．０
なる条件式を満足することを特徴とするズームレンズ。
【請求項２】
前記第１レンズ群に配置された正レンズの中で、
８５．０＜νｄ１Ｐ＜１００．０
なる条件式を満足する材料を用いた正レンズの材料の部分分散比をθｇＦ１Ｐとしたとき、
０．５２０＜θｇＦ１Ｐ＜０．５８０
なる条件式を満足することを特徴とする請求項１に記載のズームレンズ。
【請求項３】
前記第２レンズ群と前記第３レンズ群の間に、ズーミングに際して各レンズ群とは異なる軌跡で移動する開口絞りを有し、
広角端における前記開口絞りと前記第３レンズ群の光軸上の間隔をＤＷ、望遠端における前記開口絞りと前記第３レンズ群の光軸上の間隔をＤＴとしたとき、
１０．０＜ＤＷ／ＤＴ＜１００．０
なる条件式を満足することを特徴とする請求項１または２に記載のズームレンズ。
【請求項４】
前記第１レンズ群の焦点距離をｆ１としたとき、
１５．０＜ｆ１／ｆＷ＜４０．０
なる条件式を満足することを特徴とする請求項１乃至３のいずれか１項に記載のズームレンズ。
【請求項５】
前記第１レンズ群の焦点距離をｆ１、望遠端における全系の焦点距離をｆＴとしたとき、
２．０＜ｆＴ／ｆ１＜６．０
なる条件式を満足することを特徴とする請求項１乃至４のいずれか１項に記載のズームレンズ。
【請求項６】
前記第１レンズ群の焦点距離をｆ１、前記第２レンズ群の焦点距離をｆ２としたとき、
７．０＜ｆ１／ｆ２＜２０．０
なる条件式を満足することを特徴とする請求項１乃至５のいずれか１項に記載のズームレンズ。
【請求項７】
前記第１レンズ群の焦点距離をｆ１、前記第３レンズ群の焦点距離をｆ３としたとき、
３．０＜ｆ１／ｆ３＜１０．０
なる条件式を満足することを特徴とする請求項１乃至６のいずれか１項に記載のズームレンズ。
【請求項８】
前記第２レンズ群の焦点距離をｆ２、望遠端における全系の焦点距離をｆＴとしたとき、
０．０１０＜ｆ２／ｆＴ＜０．０３０
なる条件式を満足することを特徴とする請求項１乃至７のいずれか１項に記載のズームレンズ。
【請求項９】
前記第１レンズ群は、物体側より像側へ順に、負レンズ、正レンズ、正レンズ、正レンズを有することを特徴とする請求項１乃至８のいずれか１項に記載のズームレンズ。 
【請求項１０】
前記第１レンズ群に配置された正レンズの中で、
８５．０＜νｄ１Ｐ＜１００．０
なる条件式を満足する材料を用いた正レンズの物体側のレンズ面の曲率半径をＲ１、像側のレンズ面の曲率半径をＲ２としたとき、
−１．００＜（Ｒ１−Ｒ２）／（Ｒ１＋Ｒ２）＜０．００
なる条件式を満足することを特徴とする請求項１乃至９のいずれか１項に記載のズームレンズ。
【請求項１１】
前記第１レンズ群に配置された負レンズの材料の部分分散比をθｇＦ１Ｎ、アッベ数をνｄ１Ｎとしたとき、
３５．０＜νｄ１Ｎ＜５０．０
０．５２０＜θｇＦ１Ｎ＜０．７５０
θｇＦ１Ｎ＜−０．００２０３×νｄ１Ｎ＋０．６５６
なる条件式を満足することを特徴とする請求項１乃至１０のいずれか１項に記載のズームレンズ。
【請求項１２】
前記第１レンズ群に配置された負レンズの材料の屈折率をｎｄ１Ｎとしたとき、
１．７５＜ｎｄ１Ｎ＜２．１０
なる条件式を満足することを特徴とする請求項１乃至１１のいずれか１項に記載のズームレンズ。
【請求項１３】
前記第２レンズ群は、負レンズを３枚以上有することを特徴とする請求項１乃至１２のいずれか１項に記載のズームレンズ。
【請求項１４】
前記後群は、正の屈折力の第４レンズ群から成ることを特徴とする請求項１乃至１３のいずれか１項に記載のズームレンズ。
【請求項１５】
前記後群は、正の屈折力の第４レンズ群と正の屈折力の第５レンズ群から成ることを特徴とする請求項１乃至１３のいずれか１項に記載のズームレンズ。
【請求項１６】
前記後群は、正の屈折力の第４レンズ群と負の屈折力の第５レンズ群から成ることを特徴とする請求項１乃至１３のいずれか１項に記載のズームレンズ。
【請求項１７】
前記後群は、負の屈折力の第４レンズ群と正の屈折力の第５レンズ群から成ることを特徴とする請求項１乃至１３のいずれか１項に記載のズームレンズ。
【請求項１８】
請求項１乃至１７のいずれか１項に記載のズームレンズと、該ズームレンズによって形成される像を受光する固体撮像素子とを有することを特徴とする撮像装置。
【発明の詳細な説明】
【技術分野】
【０００１】
本発明はズームレンズ及びそれを有する撮像装置に関し、例えばデジタルスチルカメラ、ビデオカメラ、監視カメラ、放送用カメラ等の撮像素子を用いた撮像装置、或いは銀塩写真フィルムを用いたカメラ等の撮像装置に好適なものである。
【背景技術】
【０００２】
近年、固体撮像素子を用いたデジタルスチルカメラ、ビデオカメラ等の撮像装置は高機能化され、かつ装置全体が小型化されている。これらの装置に用いられるズームレンズは、高倍率、広画角かつ小型で、全てのズーム領域において良好な光学性能を有することが求められている。こうした要求に応えるべく、物体側より像側へ順に正、負、正の屈折力を有するレンズ群を含むズームレンズが知られている。
【０００３】
しかし、ズームレンズの高倍化を図ると、望遠端における焦点距離が長くなり、軸上色収差が多く発生する。こうした軸上色収差を低減するために、第１レンズ群に含まれる正レンズの材料に異常分散ガラスを用いたズームレンズが知られている（特許文献１）。
【先行技術文献】
【特許文献】
【０００４】
【特許文献１】特開２０１１−５３２９７号公報
【発明の概要】
【発明が解決しようとする課題】
【０００５】
一般に、小型かつ高倍率の撮影光学系を得るためには、撮影光学系を構成する各レンズ群の屈折力を強めつつ、各レンズ群を構成するレンズの枚数を削減すればよい。しかし、レンズ群の屈折力を強めると、レンズ群を構成するレンズのレンズ面の屈折力を強めることになり、レンズのコバ厚を確保するためにレンズの肉厚が増大する。その結果、前玉径（前玉有効径）が大きくなり、光学系の小型化を実現することが困難になる。また、望遠端における焦点距離が長くなることにより、色収差が多く発生し、これらを補正することが困難になる。
【０００６】
本発明は、高倍率、広画角かつ小型で、色収差が良好に補正されたズームレンズ及びそれを有する撮像装置を提供することを目的とする。
【課題を解決するための手段】
【０００７】
本発明のズームレンズは、物体側より像側へ順に、正の屈折力の第１レンズ群、負の屈折力の第２レンズ群、正の屈折力の第３レンズ群、１以上のレンズ群を含む後群により構成され、ズーミングに際して隣り合うレンズ群の間隔が変化するズームレンズにおいて、広角端に比べて望遠端において、前記第１レンズ群は物体側に位置しており、前記第１レンズ群は、少なくとも４枚のレンズを有し、前記第１レンズ群に含まれる正レンズの材料のアッベ数をνｄ１Ｐとして、前記第１レンズ群は、
８５．０＜νｄ１Ｐ＜１００．０
なる条件式を満足する材料を用いた正レンズを１枚以上有し、広角端における全系の焦点距離をｆＷ、広角端から望遠端へのズーミングにおける前記第１レンズ群の移動量をＭ１、としたとき、
５．０＜｜Ｍ１｜／ｆＷ＜４０．０
なる条件式を満足することを特徴とする。
【発明の効果】
【０００８】
本発明によれば、高倍率、広画角かつ小型で、色収差が良好に補正されたズームレンズ及びそれを有する撮像装置が得られる。
【図面の簡単な説明】
【０００９】
【図１】実施例１のズームレンズの広角端におけるレンズ断面図
【図２】（Ａ）、（Ｂ）、（Ｃ）実施例１のズームレンズの広角端、中間のズーム位置、望遠端における収差図
【図３】実施例２のズームレンズの広角端におけるレンズ断面図
【図４】（Ａ）、（Ｂ）、（Ｃ）実施例２のズームレンズの広角端、中間のズーム位置、望遠端における収差図
【図５】実施例３のズームレンズの広角端におけるレンズ断面図
【図６】（Ａ）、（Ｂ）、（Ｃ）実施例３のズームレンズの広角端、中間のズーム位置、望遠端における収差図
【図７】実施例４のズームレンズの広角端におけるレンズ断面図
【図８】（Ａ）、（Ｂ）、（Ｃ）実施例４のズームレンズの広角端、中間のズーム位置、望遠端における収差図
【図９】実施例５のズームレンズの広角端におけるレンズ断面図
【図１０】（Ａ）、（Ｂ）、（Ｃ）実施例５のズームレンズの広角端、中間のズーム位置、望遠端における収差図
【図１１】実施例６のズームレンズの広角端におけるレンズ断面図
【図１２】（Ａ）、（Ｂ）、（Ｃ）実施例６のズームレンズの広角端、中間のズーム位置、望遠端における収差図
【図１３】本発明の撮像装置の要部概略図
【図１４】θｇＦ−νｄ図
【発明を実施するための形態】
【００１０】
以下、本発明のズームレンズ及びそれを有する撮像装置について、添付の図面に基づいて詳細に説明する。本発明のズームレンズは、物体側より像側へ順に、正の屈折力の第１レンズ群、負の屈折力の第２レンズ群、正の屈折力の第３レンズ群、１以上のレンズ群を含む後群から構成される。ここで、レンズ群は、１枚以上のレンズを有していればよく、必ずしも複数枚のレンズを有していなくてもよい。
【００１１】
図１は実施例１のズームレンズの広角端におけるレンズ断面図である。図２（Ａ）、（Ｂ）、（Ｃ）はそれぞれ実施例１のズームレンズの広角端、中間のズーム位置、望遠端における収差図である。実施例１はズーム比８４．９４、開口比３．３０〜７．５０程度のズームレンズである。図３は実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比８２．９３、開口比３．３０〜７．５０程度のズームレンズである。
【００１２】
図５は実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比８４．９９、開口比３．３０〜８．００程度のズームレンズである。図７は実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比８４．９５、開口比３．３０〜７．５０程度のズームレンズである。
【００１３】
図９は実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比８４．９４、開口比３．３０〜７．５０程度のズームレンズである。図１１は実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。実施例６はズーム比８５．０５、開口比３．３０〜７．５０程度のズームレンズである。
【００１４】
図１３は本発明のズームレンズを備えるデジタルスチルカメラ（撮像装置）の要部概略図である。各実施例のズームレンズはビデオカメラやデジタルスチルカメラ、銀塩フィルムカメラ、テレビカメラ等の撮像装置に用いられる撮影レンズ系である。レンズ断面図において左方が物体側（前方）で、右方が像側（後方）である。またレンズ断面図において、ｉを物体側から像側へのレンズ群の順番とするとＬｉは第ｉレンズ群を示す。図１４は、θｇＦ−νｄ図である。
【００１５】
実施例１乃至３のズームレンズは、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５から成る。実施例１乃至３は５つのレンズ群から成るポジティブリード型の５群ズームレンズであり、後群は、負の屈折力の第４レンズ群Ｌ４と正の屈折力の第５レンズ群Ｌ５から成る。
【００１６】
実施例４のズームレンズは、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４から成る。実施例４は４つのレンズ群から成るポジティブリード型の４群ズームレンズであり、後群は、正の屈折力の第４レンズ群Ｌ４から成る。
【００１７】
実施例５のズームレンズは、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５から成る。実施例５は５つのレンズ群から成るポジティブリード型の５群ズームレンズであり、後群は、正の屈折力の第４レンズ群Ｌ４と負の屈折力の第５レンズ群Ｌ５から成る。
【００１８】
実施例６のズームレンズは、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４、正の屈折力の第５レンズ群Ｌ５から成る。実施例６は５つのレンズ群から成るポジティブリード型の５群ズームレンズであり、後群は、正の屈折力の第４レンズ群Ｌ４と正の屈折力の第５レンズ群Ｌ５から成る。
【００１９】
各実施例において、ＳＰは開口絞りであり、開口絞りＳＰは、第２レンズ群Ｌ２と第３レンズ群Ｌ３の間に配置される。広角端から望遠端へのズーミングに際して、開口絞りＳＰは、広角端に比べて望遠端において物体側に位置するように、各レンズ群とは異なる軌跡で移動する。これにより、入射瞳位置を物体側に移動させることができるため、前玉有効径の小型化を図ることができる。
【００２０】
Ｇは光学フィルター、フェースプレート、ローパスフィルター、赤外カットフィルター等に相当する光学ブロックである。ＩＰは像面である。ビデオカメラやデジタルカメラの撮像光学系としてズームレンズを使用する際には、像面ＩＰはＣＣＤセンサやＣＭＯＳセンサといった固体撮像素子（光電変換素子）に相当する。銀塩フィルムカメラの撮像光学系としてズームレンズを使用する際には、像面ＩＰはフィルム面に相当する。
【００２１】
球面収差図においてＦｎｏはＦナンバーであり、ｄ線（波長５８７．６ｎｍ）、ｇ線（波長４３５．８ｎｍ）に対する球面収差を示している。非点収差図においてＳはサジタル像面、Ｍはメリディオナル像面である。歪曲収差はｄ線について示している。倍率色収差図ではｇ線における倍率色収差を示している。ωは撮像半画角である。
【００２２】
各実施例では、レンズ断面図中の矢印で示すように、広角端から望遠端へのズーミングに際してレンズ群が移動し、隣り合うレンズ群の間隔が変化する。
【００２３】
具体的には、各実施例において、広角端から望遠端へのズーミングに際して、第１レンズ群Ｌ１は像側へ凸状の軌跡を描くように移動し、広角端に比べて望遠端において物体側に位置する。これにより、広角端におけるレンズ全長を短縮しながら、高倍化を実現することができる。
【００２４】
実施例１、２、４乃至６では、第２レンズ群Ｌ２は、広角端に比べて望遠端において、像側に位置するように移動する。実施例３では、第２レンズ群Ｌ２は、広角端から望遠端へのズーミングに際して像側へ凸状の軌跡を描くように移動する。各実施例で、第３レンズ群Ｌ３は広角端に比べて望遠端において、物体側に位置するように移動する。
【００２５】
実施例１乃至３では、第４レンズ群Ｌ４は、広角端に比べて望遠端において、物体側に位置するように移動する。実施例４乃至６では、第４レンズ群Ｌ４は、広角端から望遠端へのズーミングに際して物体側へ凸状の軌跡を描くように移動する。実施例１乃至３では、第５レンズ群Ｌ５は、広角端から望遠端へのズーミングに際して物体側へ凸状の軌跡を描くように移動する。実施例５及び６では、第５レンズ群Ｌ５は、ズーミングに際して不動である。
【００２６】
また、実施例１乃至３では、第５レンズ群Ｌ５をフォーカスレンズ群としている。望遠端において無限遠物体から近距離物体へフォーカシングを行う場合には、レンズ断面の矢印５ｃに示すように、第５レンズ群Ｌ５を物体側に繰り出している。レンズ断面図中の実線５ａと点線５ｂは各々、無限遠物体と近距離物体にフォーカスしているときの、広角端から望遠端へのズーミングに伴う像面変動を補正するための移動軌跡を示している。
【００２７】
実施例４乃至６では、第４レンズ群Ｌ４をフォーカスレンズ群としている。望遠端において無限遠物体から近距離物体へフォーカシングを行う場合には、レンズ断面の矢印４ｃに示すように、第４レンズ群Ｌ４を物体側に繰り出している。レンズ断面図中の実線４ａと点線４ｂは各々、無限遠物体と近距離物体にフォーカスしているときの、広角端から望遠端へのズーミングに伴う像面変動を補正するための移動軌跡を示している。
【００２８】
各実施例では、開口絞りＳＰを各レンズ群とは異なる軌跡を描きながら移動させることにより、望遠端における第２レンズ群Ｌ２と第３レンズ群Ｌ３の間隔を短くすることができる。これにより、望遠端におけるレンズ全長を短縮することができる。
【００２９】
各実施例では、異常分散性を有する材料を用いたレンズを用いて、色収差の低減を図っている。以下、異常分散性を有する材料を用いて色収差を低減させる方法について説明する。
【００３０】
図１４は、一般の光学ガラスにおいて縦軸に部分分散比θｇＦが上方向に大きな値となるように、横軸にアッベ数が左方向に大きな値となるようにとったグラフ（以下「θｇＦ−νｄ図」と呼ぶ）である。このθｇＦ−νｄ図上に材料をマッピングさせると、ノーマルラインと呼ばれる直線に沿って分布することが知られている。本発明において、ノーマルラインは、
θｇＦ＝−０．００１６８２×νｄ＋０．６４３８
なる式で表される。
【００３１】
ここで、アッベ数νｄ、部分分散比θｇＦは、ｇ線（波長４３５．８ｎｍ）、Ｆ線（４８６．１ｎｍ）、Ｃ線（６５６．３ｎｍ）、ｄ線（５８７．６ｎｍ）に対する材料の屈折率をそれぞれＮｇ、ＮＦ、ＮＣ、Ｎｄとするとき、
νｄ＝（Ｎｄ−１）／（ＮＦ−ＮＣ）
θｇＦ＝（Ｎｇ−ＮＦ）／（ＮＦ−ＮＣ）
で表される数値である。
【００３２】
焦点距離の長いポジティブリード型のズームレンズでは、軸上光束におけるマージナル光線は第１レンズ群Ｌ１において最も高い位置を通る。そのため、第１レンズ群Ｌ１で軸上色収差や、球面収差が発生しやすい。望遠端において複数の周波数における球面収差の補正を図ると、軸上色収差が大きくなるため、軸上色収差の２次スペクトルは可能な限り小さいことが好ましい。
【００３３】
第１レンズ群Ｌ１において、軸上色収差の２次スペクトルを低減するためには、θｇＦ−νｄ図において、第１レンズ群Ｌ１を構成する正レンズと負レンズの硝材を結んだ直線の傾きを小さくすること必要である。
【００３４】
例えば、蛍石のようにアッベ数νｄが大きく、θｇＦ−νｄ図においてノーマルラインから部分分散比θｇＦが大きくなる方向に離れた領域に存在する材料を、第１レンズ群Ｌ１に含まれる正レンズに用いるのが良い。また、ランタン系の硝材のように、θｇＦ−νｄ図においてノーマルラインから部分分散比θｇＦが小さくなる方向に離れた領域に存在する材料を、第１レンズ群Ｌ１に含まれる負レンズに用いるのが良い。
【００３５】
これらの組み合わせにより、第１レンズ群Ｌ１に含まれる正レンズと負レンズを構成する硝材を結ぶ直線の傾きがノーマルラインよりも小さくなり、軸上色収差の二次スペクトルを良好に補正することができる。このように第１レンズ群Ｌ１に含まれるレンズの材料を最適化することにより、軸上色収差の二次スペクトルを良好に補正することができる。
【００３６】
各実施例では、第１レンズ群Ｌ１に、以下の条件式を満足する材料を用いた正レンズを１枚以上有する。
８５．０＜νｄ１Ｐ＜１００．０  …（１）
【００３７】
ここで、第１レンズ群Ｌ１に含まれる正レンズの材料のアッベ数をνｄ１Ｐとする。
【００３８】
さらに、第１レンズ群Ｌ１に含まれる正レンズの材料の部分分散比をθｇＦ１Ｐとして、条件式（１）を満足する材料を用いた正レンズは、
０．５２０＜θｇＦ１Ｐ＜０．５８０ …（２）
なる条件式を満足することが好ましい。
【００３９】
実施例１及び３では、第１レンズ群Ｌ１に含まれる正レンズの中で、物体側から数えて１番目、２番目、３番目の正レンズの材料が、条件式（１）、（２）を満足する材料である。実施例２では、第１レンズ群Ｌ１に含まれる正レンズの中で、物体側から数えて１番目、２番目、３番目、４番目の正レンズの材料が、条件式（１）、（２）を満足する材料である。実施例４乃至６では、第１レンズ群Ｌ１に含まれる正レンズの中で、物体側から数えて２番目の正レンズの材料が、条件式（１）、（２）を満足する材料である。
【００４０】
条件式（１）の上限値を超えて、第１レンズ群Ｌ１に含まれる正レンズの材料のアッベ数νｄ１Ｐが大きくなると、実在する材料が限定されるため、好ましくない。
【００４１】
条件式（１）の下限値を超えて、第１レンズ群Ｌ１に含まれる正レンズの材料のアッベ数νｄ１Ｐが小さくなると、主に望遠端における軸上色収差を十分に補正することが困難になるため、好ましくない。
【００４２】
条件式（２）の下限値を超えて、第１レンズ群Ｌ１に含まれる正レンズの材料の部分分散比θｇＦ１Ｐが小さくなると、望遠端における軸上色収差の二次スペクトルが増大するため好ましくない。
【００４３】
条件式（２）の上限値を超えて、第１レンズ群Ｌ１に含まれる正レンズの材料の部分分散比θｇＦ１Ｐが大きくなると、条件式（１）を満足する領域において実在する材料が限定されるため、好ましくない。
【００４４】
また、各実施例では、広角端における全系の焦点距離をｆＷ、広角端から望遠端へのズーミングにおける第１レンズ群Ｌ１の光軸上の移動量をＭ１として
５．０＜Ｍ１／ｆＷ＜４０．０   …（３）
なる条件式を満足している。
【００４５】
ここで移動量とは、広角端と望遠端における各レンズ群の光軸上での位置の差であり、移動量の符号は広角端に比べて望遠端で物体側に位置するときを正、像側に位置するときを負とする。
【００４６】
条件式（３）の上限値を超えて、第１レンズ群Ｌ１の移動量Ｍ１が大きくなると、望遠端におけるレンズ全長が増大するため、好ましくない。
【００４７】
条件式（３）の下限値を超えて、第１レンズ群Ｌ１の移動量Ｍ１が小さくなると、高倍化を実現するために、第１レンズ群Ｌ１の屈折力を強くする必要が生じる。その結果、球面収差やコマ収差を十分に補正することが困難になるため、好ましくない。
【００４８】
各実施例では上記の如く、条件式（１）及び（３）を満足するように各要素を適切に設定している。これにより、高倍率、広画角かつ小型で、色収差が良好に補正されたズームレンズを得ることができる。また、各実施例では、条件式（２）を満足するように各要素を適切に設定することが好ましい。
【００４９】
なお、各実施例において、好ましくは条件式（１）乃至（３）の数値範囲を次のようにするのがよい。
８５．０＜νｄ１Ｐ＜９７．０       …（１ａ）
０．５２５＜θｇＦ１Ｐ＜０．５６０ …（２ａ）
６．０＜Ｍ１／ｆＷ＜３５．０       …（３ａ）
【００５０】
また、更に好ましくは条件式（１）乃至（３）の数値範囲を次の如く設定するのが良い。
８５．１＜νｄ１Ｐ＜９６．０        …（１ｂ）
０．５３０＜θｇＦ１Ｐ＜０．５４０  …（２ｂ）
８．０＜Ｍ１／ｆＷ＜３０．０        …（３ｂ）
【００５１】
さらに、各実施例において、次の条件式のうち１つ以上を満足することがより好ましい。ここで、第１レンズ群Ｌ１の焦点距離をｆ１、第２レンズ群Ｌ２の焦点距離をｆ２、第３レンズ群Ｌ３の焦点距離をｆ３、望遠端における全系の焦点距離をｆＴ、広角端における開口絞りＳＰと第３レンズ群Ｌ３の光軸上の間隔をＤＷとする。さらに、望遠端における開口絞りＳＰと第３レンズ群Ｌ３の光軸上の間隔をＤＴ、第１レンズ群Ｌ１に配置された正レンズの物体側のレンズ面の曲率半径をＲ１、像側のレンズ面の曲率半径をＲ２とする。また、第１レンズ群Ｌ１に配置された負レンズの材料の部分分散比をθｇＦ１Ｎ、アッベ数をνｄ１Ｎ、屈折率をｎｄ１Ｎとしたとき、
１０．０＜ＤＷ／ＤＴ＜１００．０                      …（４）
１５．０＜ｆ１／ｆＷ＜４０．０                        …（５）
２．０＜ｆＴ／ｆ１＜６．０                            …（６）
７．０＜ｆ１／ｆ２＜２０．０                          …（７）
３．０＜ｆ１／ｆ３＜１０．０                          …（８）
０．０１０＜ｆ２／ｆＴ＜０．０３９０                  …（９）
−１．００＜（Ｒ１−Ｒ２）／（Ｒ１＋Ｒ２）＜０．００  …（１０）
０．５２０＜θｇＦ１Ｎ＜０．７５０                    …（１１）
３５．０＜νｄ１Ｎ＜５０．０                          …（１２）
θｇＦ１Ｎ＜−０．００２０３×νｄ１Ｎ＋０．６５６    …（１３）
１．７５＜ｎｄ１Ｎ＜２．１０                          …（１４）
なる条件式のうち１つ以上を満足するのがよい。
【００５２】
条件式（４）の上限値を超えて、広角端における開口絞りＳＰと第３レンズ群Ｌ３の光軸上の間隔ＤＷが大きくなると、第３レンズ群Ｌ３の有効径が増大するため、好ましくない。条件式（４）の下限値を超えて、広角端における開口絞りＳＰと第３レンズ群Ｌ３の光軸上の間隔ＤＷが小さくなると、第１レンズ群Ｌ１の有効径が増大するため、好ましくない。
【００５３】
条件式（５）の上限値を超えて、第１レンズ群Ｌ１の焦点距離が長くなると、第１レンズ群Ｌ１の屈折力が弱くなる。その結果、高倍化を実現するために、ズーミングにおける第１レンズ群Ｌ１の移動量を大きくする必要が生じ、望遠端におけるレンズ全長の増大を招くため、好ましくない。
【００５４】
条件式（５）の下限値を超えて、第１レンズ群Ｌ１の焦点距離が短くなると、第１レンズ群Ｌ１の屈折力が強くなる。その結果、球面収差やコマ収差が多く発生し、これらを十分に補正することが困難になるため、好ましくない。
【００５５】
条件式（６）の上限値を超えて、第１レンズ群Ｌ１の焦点距離が短くなると、第１レンズ群Ｌ１の屈折力が強くなる。その結果、球面収差やコマ収差が多く発生し、これらを十分に補正することが困難になるため、好ましくない。
【００５６】
条件式（６）の下限値を超えて、第１レンズ群Ｌ１の焦点距離が長くなると、第１レンズ群Ｌ１の屈折力が弱くなる。その結果、高倍化を実現するために、ズーミングにおける第１レンズ群Ｌ１の移動量を大きくする必要が生じ、望遠端におけるレンズ全長の増大を招くため、好ましくない。
【００５７】
条件式（７）の上限値を超えて、第２レンズ群Ｌ２の焦点距離が短くなると、第２レンズ群Ｌ２の屈折力が強くなる。その結果、像面湾曲を十分に補正することが困難になるため、好ましくない。
【００５８】
条件式（７）の下限値を超えて、第２レンズ群Ｌ２の焦点距離が長くなると、第２レンズ群Ｌ２の屈折力が弱くなる。その結果、高倍化を実現することが困難になるため、好ましくない。
【００５９】
条件式（８）の上限値を超えて、第３レンズ群Ｌ３の焦点距離が短くなると、第３レンズ群Ｌ３の屈折力が強くなる。その結果、球面収差やコマ収差を十分に補正することが困難になるため、好ましくない。
【００６０】
条件式（８）の下限値を超えて、第３レンズ群Ｌ３の焦点距離が長くなると、第３レンズ群Ｌ３の屈折力が弱くなる。その結果、高倍化を実現することが困難になるため、好ましくない。
【００６１】
条件式（９）の上限値を超えて、第２レンズ群Ｌ２の焦点距離が長くなると、第２レンズ群Ｌ２の屈折力が弱くなる。その結果、高倍化を実現することが困難になるため、好ましくない。
【００６２】
条件式（９）の下限値を超えて、第２レンズ群Ｌ２の焦点距離が短くなると、第２レンズ群Ｌ２の屈折力が強くなる。その結果、像面湾曲を十分に補正することが困難になるため、好ましくない。
【００６３】
条件式（１０）の上限値を超えると、望遠側において軸外光束に対する収差を十分に補正することが困難になり、像面湾曲が増大するため好ましくない。
【００６４】
条件式（１０）の下限値を超えると、広角側における像面湾曲の補正と望遠側における球面収差の補正をバランス良く行うことが困難になるため、好ましくない。
【００６５】
条件式（１１）から（１３）は、第１レンズ群Ｌ１に配置された負レンズの材料の部分分散比θｇＦ１Ｎとアッベ数θｇＦ１Ｎを規定したものである。条件式（１１）から（１３）を満足することにより、軸上色収差の２次スペクトルを良好に補正することができる。
【００６６】
条件式（１４）の上限値を超えて、第１レンズ群Ｌ１に配置された負レンズの材料の屈折率ｎｄ１Ｎが大きくなると、条件式（１１）から（１３）を満足する領域において、材料が限定されるため、好ましくない。
【００６７】
条件式（１４）の下限値を超えて、第１レンズ群Ｌ１に配置された負レンズの材料の屈折率ｎｄ１Ｎが小さくなると、第１レンズ群Ｌ１の有効径が増大するため、好ましくない。
【００６８】
また、好ましくは条件式（４）乃至（１２）、（１４）の数値範囲を次の如く設定すると、各条件式がもたらす効果を最大限に得られる。
１５．０＜ＤＷ／ＤＴ＜８０．０                          …（４ａ）
１８．０＜ｆ１／ｆＷ＜３７．０                          …（５ａ）
２．３＜ｆＴ／ｆ１＜５．０                              …（６ａ）
８．０＜ｆ１／ｆ２＜１７．０                            …（７ａ）
３．５＜ｆ１／ｆ３＜９．０                              …（８ａ）
０．０１５＜ｆ２／ｆＴ＜０．０２９                      …（９ａ）
−０．９８＜（Ｒ１−Ｒ２）／（Ｒ１＋Ｒ２）＜−０．３０  …（１０ａ）
０．５４０＜θｇＦ１Ｎ＜０．７００                      …（１１ａ）
３５．０＜νｄ１Ｎ＜４５．０                            …（１２ａ）
１．８０＜ｎｄ１Ｎ＜２．００                            …（１４ａ）
【００６９】
また、更に好ましくは条件式（４）乃至（１２）、（１４）の数値範囲を次の如く設定するのが良い。
１６．０＜ＤＷ／ＤＴ＜６０．０                          …（４ｂ）
２０．０＜ｆ１／ｆＷ＜３５．０                          …（５ｂ）
２．４＜ｆＴ／ｆ１＜４．５                              …（６ｂ）
９．０＜ｆ１／ｆ２＜１５．５                            …（７ｂ）
３．９＜ｆ１／ｆ３＜８．２                              …（８ｂ）
０．０２０＜ｆ２／ｆＴ＜０．０２８                      …（９ｂ）
−０．９５＜（Ｒ１−Ｒ２）／（Ｒ１＋Ｒ２）＜−０．４０  …（１０ｂ）
０．５６０＜θｇＦ１Ｎ＜０．６８０                      …（１１ｂ）
３５．０＜νｄ１Ｎ＜４２．０                            …（１２ｂ）
１．８７＜ｎｄ１Ｎ＜１．９５                            …（１４ｂ）
【００７０】
次に、各レンズ群の構成に関して説明する。第１レンズ群Ｌ１に関しては、実施例１、３乃至６では、物体側より像側へ順に、負レンズと正レンズの接合レンズ、正レンズ、正レンズから構成される。実施例２では、物体側より像側へ順に、負レンズと正レンズの接合レンズ、正レンズ、正レンズ、正レンズから構成される。本発明では、球面収差やコマ収差、軸上色収差を良好に補正するために、第１レンズ群Ｌ１に４枚以上のレンズを用いている。
【００７１】
第２レンズ群Ｌ２に関しては、物体側より像側へ順に、負レンズ、負レンズ、負レンズ、正レンズから構成される。物体側から３枚の負レンズを連続して配置することにより、軸外光線を緩やかに屈折させることができ、前玉有効径の小型化を実現することができる。
【００７２】
第３レンズ群Ｌ３に関しては、実施例１乃至３では、物体側より像側へ順に、正レンズ、負レンズ、負レンズと正レンズの接合レンズから構成される。実施例４乃至６では、物体側より像側へ順に、正レンズ、負レンズ、負レンズと正レンズの接合レンズ、負レンズと正レンズの接合レンズから構成される。物体側から像側へ、正レンズ、負レンズ、負レンズと正レンズの接合レンズと配置する構成は、トリプレット型のレンズ系にレンズを１枚追加したものであり、テッサータイプと呼ばれる。各実施例では、第３レンズ群Ｌ３にテッサータイプのレンズ構成を含ませることで、ペッツバール和を容易に調整することができる。
【００７３】
第４レンズ群Ｌ４に関しては、実施例１乃至３では、物体側より像側へ順に、負レンズと正レンズが接合された接合レンズから構成される。実施例４乃至６では、物体側より像側へ順に正レンズと負レンズが接合された接合レンズから構成される。
【００７４】
第５レンズ群Ｌ５に関しては、実施例１乃至３では、物体側より像側へ順に、正レンズと負レンズが接合された接合レンズから構成される。実施例５では、負レンズから構成される。実施例６では、正レンズから構成される。
【００７５】
次に、本発明の実施例１〜６にそれぞれ対応する数値実施例１〜６を示す。各数値実施例において、ｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。
【００７６】
またｋを離心率、Ａ４、Ａ６、Ａ８を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４＋Ａ６ｈ６＋Ａ８ｈ８
で表示される。但しＲは近軸曲率半径である。また「ｅ−Ｚ」の表示は「１０−Ｚ」を意味する。数値実施例において最も像側の２つの面は、フィルター、フェースプレート等の光学ブロックの面である。
【００７７】
各実施例において、バックフォーカス（ＢＦ）は、レンズ系の最も像側の面から近軸像面までの距離を、空気換算長により表したものである。また、各数値実施例における上述した条件式との対応を表１に示す。
【００７８】
ここで、実施例１及び３では、第１レンズ群Ｌ１に含まれる正レンズの中で、物体側から数えて１番目、２番目、３番目の正レンズの材料が、条件式（１）、（２）を満足する材料であり、この３枚の正レンズは同一の材料を用いている。実施例２では、第１レンズ群Ｌ１に含まれる正レンズの中で、物体側から数えて１番目、２番目、３番目、４番目の正レンズの材料が、条件式（１）、（２）を満足する材料であり、この４枚の正レンズは同一の材料を用いている。実施例４乃至６では、第１レンズ群Ｌ１に含まれる正レンズの中で、物体側から数えて２番目の正レンズの材料が、条件式（１）、（２）を満足する材料である。
【００７９】
なお、広角端における有効像円径（イメージサークルの直径）を、望遠端における有効像円径に比べて小さくすることができる。これは、画像処理において画像を引き伸ばすことで、広角側において発生しやすい樽型の歪曲収差を補正することができるためである。
【００８０】
［数値実施例１］
単位 mm
面データ
面番号       r        d      nd         νd     θgF
1         97.047    1.45   1.88300    40.8    0.567
2         53.453    5.75   1.43875    94.9    0.534
3       1706.344    0.05
4         55.398    4.25   1.43875    94.9    0.534
5        285.779    0.05
6         70.212    3.05   1.43875    94.9    0.534
7        257.657  (可変)
8        297.982    0.75   1.88300    40.8
9          8.039    3.68
10         77.382    0.60   1.80400    46.6
11         19.994    1.79
12        -32.164    0.60   1.91082    35.3
13         53.155    0.10
14         20.194    1.95   1.95906    17.5
15       -168.028  (可変)
16(絞り)    ∞     (可変)
17*        11.773    2.60   1.55332    71.7
18*       229.074    2.14
19         14.958    0.60   1.80400    46.6 
20         10.906    0.42
21         16.740    0.60   2.00330    28.3
22         10.647    2.55   1.49700    81.5
23        -16.450  (可変)
24       -142.611    0.50   1.78590    44.2
25         11.000    1.10   1.69895    30.1
26         28.141  (可変)
27         21.379    3.25   1.51823    58.9
28        -13.751    0.50   2.00069    25.5
29        -21.144  (可変)
30          ∞       0.80   1.51633    64.1
31          ∞       0.50
像面        ∞
非球面データ
第17面
K =-3.07501e+000  A 4= 1.80616e-004  A 6=-1.99657e-006
第18面
K = 0.00000e+000  A 4= 6.32826e-005  A 6=-1.53078e-006
各種データ
ズーム比     84.94
広角     中間     望遠
焦点距離       3.71    35.49   315.00
Fナンバー      3.30     4.98     7.50
半画角        40.59     6.23     0.70
レンズ全長   102.75   135.79   157.98
BF            10.71    26.23     8.03
d 7            0.75    44.03    70.55
d15           32.61     6.77     0.42
d16           12.23     1.42     0.72
d23            2.56     8.63     7.66
d26            5.29    10.12    32.00
d29            9.69    25.20     7.00
ズームレンズ群データ
群  始面    焦点距離
1    1      87.88
2    8      -7.57
3   17      16.10
4   24     -25.96
5   27      27.81
【００８１】
［数値実施例２］
単位 mm
面データ
面番号       r        d      nd         νd    θgF
1        101.242    1.45   1.88300    40.8    0.567
2         52.632    5.67   1.43875    94.9    0.534
3        374.978    0.05
4         60.709    3.50   1.43875    94.9    0.534
5        188.403    0.05
6         70.616    3.25   1.43875    94.9    0.534
7        292.126    0.00
8         66.665    2.95   1.43875    94.9    0.534
9        194.810  (可変)
10        121.114    0.75   1.88300    40.8
11          8.146    3.86
12         70.807    0.60   1.80400    46.6
13         18.799    1.91
14        -34.232    0.60   1.91082    35.3
15         62.307    0.10
16         20.409    1.95   1.95906    17.5
17       -211.617  (可変)
18(絞り)    ∞     (可変)
19*        11.062    2.10   1.55332    71.7
20*      -221.352    1.86
21         14.687    0.60   1.80400    46.6
22         10.710    0.51
23         20.607    0.60   2.00330    28.3
24         12.223    2.25   1.49700    81.5
25        -18.378  (可変)
26         95.421    0.50   1.78590    44.2
27         11.000    1.15   1.69895    30.1
28         16.611  (可変)
29         20.587    2.15   1.51823    58.9
30        -17.475    0.50   2.00069    25.5
31        -25.570  (可変)
32          ∞       0.80   1.51633    64.1
33          ∞       0.50
像面        ∞
非球面データ
第19面
K =-2.96314e+000  A 4= 2.23947e-004  A 6= 3.38003e-006
第20面
K = 0.00000e+000  A 4= 1.01382e-004  A 6= 4.61135e-006
各種データ
ズーム比     82.93
広角     中間     望遠
焦点距離       3.81    34.27   315.64
Fナンバー      3.30     4.99     7.50
半画角        39.86     6.45     0.70
レンズ全長   104.42    124.31   135.53
BF            10.50     27.91     3.13
d 9            0.75    38.90    61.24
d17           31.12     8.27    -0.00
d18           15.93     1.78     0.28
d25            2.96     3.01     0.94
d28            3.96     5.24    30.74
d31            9.47    26.88     2.11
ズームレンズ群データ
群  始面    焦点距離
1    1      77.50
2   10      -8.05
3   19      15.82 
4   26     -24.03 
5   29      27.55
【００８２】
［数値実施例３］
単位 mm
面データ
面番号       r        d      nd         νd    θgF
1        123.261    1.45   1.88300    40.8    0.567
2         70.266    4.45   1.43875    94.9    0.534
3        323.503    0.05
4         85.000    3.30   1.43875    94.9    0.534
5        451.917    0.05
6         77.578    3.25   1.43875    94.9    0.534
7        322.152  (可変)
8         33.039    0.75   1.88300    40.8
9          7.648    4.96
10        104.620    0.60   1.80400    46.6
11         24.478    1.66
12        -32.563    0.60   1.91082    35.3
13         39.969    0.10
14         20.348    1.95   1.95906    17.5
15       -219.764  (可変)
16(絞り)    ∞     (可変)
17*        11.694    2.90   1.55332    71.7
18*        99.313    1.02
19         14.578    0.60   1.80400    46.6
20         11.235    0.53
21         16.800    0.60   2.00330    28.3
22         10.614    3.45   1.49700    81.5
23        -15.621  (可変)
24        779.306    0.50   1.78590    44.2
25         11.000    1.25   1.69895    30.1
26         21.325  (可変)
27         26.198    3.50   1.51823    58.9
28        -16.763    0.50   2.00069    25.5
29        -25.878  (可変)
30          ∞       0.80   1.51633    64.1
31          ∞       0.50
像面        ∞
非球面データ
第17面
K =-2.39707e+000  A 4= 1.46877e-004  A 6=-1.24058e-006
第18面
K = 0.00000e+000  A 4= 9.15367e-005  A 6=-1.07874e-006
各種データ
ズーム比     84.99
広角     中間     望遠
焦点距離       3.71    19.60   315.00
Fナンバー      3.30     4.99     8.00
半画角        40.61    11.19     0.70
レンズ全長   104.94   131.89   210.06
BF            10.01    18.80    18.31
d 7            0.75    41.97   103.24
d15           36.90     3.95     1.00
d16           11.58    10.25     0.29
d23            3.00     6.36    10.86
d26            4.41    12.27    38.08
d29            8.99    17.78    17.29
ズームレンズ群データ
群  始面    焦点距離
1    1     125.97
2    8      -8.35
3   17      15.74
4   24     -25.11
5   27      34.14
【００８３】
［数値実施例４］
単位 mm
面データ
面番号       r        d      nd         νd      θgF
1        100.073    1.45   1.91082    35.3     0.582
2         56.672    5.50   1.49700    81.5
3       1441.561    0.05
4         57.631    3.90   1.43875    94.9     0.539
5        236.500    0.05
6         71.936    3.00   1.49700    81.5
7        194.066  (可変)
8        187.880    0.75   1.88300    40.8
9          8.024    3.96
10        106.399    0.60   1.80400    46.6
11         20.589    1.82
12        -37.450    0.60   1.91082    35.3
13         52.631    0.10
14         20.058    2.00   1.95906    17.5
15       -186.477  (可変)
16(絞り)    ∞     (可変)
17*        10.985    2.75   1.55332    71.7
18*      -288.356    1.74
19         17.201    0.60   1.80400    46.6
20         10.727    0.33
21         15.506    0.60   2.00330    28.3
22         10.364    2.40   1.49700    81.5
23        -16.071    2.40
24        169.261    0.50   1.78590    44.2
25         11.000    1.05   1.69895    30.1
26         19.568  (可変)
27         20.884    3.00   1.51823    58.9
28        -15.203    0.50   2.00069    25.5
29        -24.317  (可変)
30          ∞       0.80   1.51633    64.1
31          ∞       0.50
像面        ∞
非球面データ
第17面
K =-3.72856e+000  A 4= 2.42049e-004  A 6=-3.92848e-006
第18面
K = 0.00000e+000  A 4= 3.47054e-005  A 6=-2.32073e-006
各種データ
ズーム比     84.95
広角     中間     望遠
焦点距離       3.71    15.15   315.00
Fナンバー      3.30     4.99     7.50
半画角        40.59    14.35     0.70
レンズ全長    98.01   103.76   156.05
BF             9.56    24.21     7.53
d 7            0.75    16.91    69.67
d15           31.13    10.06     0.30
d16           12.18     1.50     0.30
d26            4.47    11.16    38.33
d29            8.53    23.18     6.50
ズームレンズ群データ
群  始面    焦点距離
1    1      87.07
2    8      -7.85
3   17      20.96
4   27      29.56
【００８４】
［数値実施例５］
単位 mm
面データ
面番号       r        d      nd         νd    θgF
1        132.837    1.45   1.88300    40.8    0.567
2         51.407    5.20   1.49700    81.5
3        675.039    0.05
4         56.369    4.55   1.48563    85.2    0.539
5        350.249    0.05
6         71.536    2.95   1.59282    68.6
7        227.523  (可変)
8        154.193    0.75   1.88300    40.8
9          8.101    3.70
10         71.490    0.60   1.80400    46.6
11         20.523    1.72
12        -34.213    0.60   1.91082    35.3
13         55.649    0.10
14         20.373    2.00   1.95906    17.5 
15       -177.406  (可変)
16(絞り)    ∞     (可変)
17*        10.761    2.90   1.55332    71.7
18*      1343.314    0.94
19         15.160    0.60   1.80400    46.6
20         10.507    0.52
21         16.852    0.60   2.00330    28.3
22         10.656    2.95   1.49700    81.5
23        -16.918    2.69
24        228.680    0.50   1.78590    44.2
25         11.000    1.20   1.69895    30.1
26         21.159  (可変)
27         24.600    3.20   1.51823    58.9
28        -13.067    0.50   2.00069    25.5
29        -19.215  (可変)
30        -35.000    1.00   1.51633    64.1
31          ∞       0.49
32          ∞       0.50   1.51633    64.1
33          ∞       0.50
像面        ∞
非球面データ
第17面
K =-1.07569e+000  A 4= 2.92492e-005  A 6=-2.00935e-007
第18面
K = 0.00000e+000  A 4= 6.74353e-005  A 6=-5.86495e-007
各種データ
ズーム比     84.94
広角     中間     望遠
焦点距離       3.71    36.83   315.00
Fナンバー      3.30     4.99     7.50
半画角        40.59     6.01     0.70
レンズ全長   100.35   135.60   159.10
BF             1.32     1.32     1.32
d 7            0.75    45.29    72.12
d15           32.25     1.05     0.28
d16           12.89     5.37     0.28
d26            4.22    12.07    37.62
d29            7.43    29.03     5.99
ズームレンズ群データ
群  始面    焦点距離
1    1      88.52
2    8      -8.13
3   17      21.12
4   27      27.98
5   30     -67.79
【００８５】
［数値実施例６］
単位 mm
面データ
面番号       r        d      nd         νd    θgF
1        124.862    1.45   1.88300    40.8    0.567
2         51.095    5.40   1.49700    81.5
3        870.523    0.05
4         54.702    5.00   1.45600    90.3    0.534
5        752.199    0.05
6         73.662    2.70   1.59282    68.6
7        191.888  (可変)
8        282.966    0.75   1.88300    40.8
9          8.030    3.78
10         74.646    0.60   1.80400    46.6
11         20.244    1.78
12        -33.432    0.60   1.91082    35.3
13         55.047    0.10
14         20.037    2.00   1.95906    17.5
15       -165.507  (可変)
16(絞り)    ∞     (可変)
17*        11.583    2.60   1.55332    71.7
18*     -4502.227    1.99
19         15.088    0.60   1.80400    46.6
20         10.931    0.34
21         17.086    0.60   2.00330    28.3
22         10.789    2.30   1.49700    81.5
23        -16.030    2.68
24        249.758    0.50   1.78590    44.2
25         11.000    0.95   1.69895    30.1
26         20.015  (可変)
27         22.084    2.70   1.51823    58.9
28        -17.862    0.50   2.00069    25.5
29        -28.637  (可変)
30         50.000    1.50   1.51633    64.1
31          ∞       0.48
32          ∞       0.50   1.51633    64.1
33          ∞       0.50
像面        ∞
非球面データ
第17面
K =-3.88321e+000  A 4= 2.42441e-004  A 6=-2.97008e-006
第18面
K = 0.00000e+000  A 4= 6.64524e-005  A 6=-1.47813e-006
各種データ
ズーム比     85.05
広角     中間     望遠
焦点距離       3.70    36.65   315.00
Fナンバー      3.30     5.49     7.50
半画角        40.63     6.04     0.70
レンズ全長   101.97   138.03   160.71
BF             1.31     1.31     1.31
d 7            0.75    44.52    70.01
d15           32.79     6.20     1.09
d16           12.41     2.04     0.32
d26            5.78    11.87    40.31
d29            7.23    30.40     5.98
ズームレンズ群データ
群  始面    焦点距離
1    1      86.24
2    8      -7.85
3   17      21.40
4   27      32.16
5   30      96.84
【００８６】
【表１】
2015102803.tif 000003
【００８７】
次に、本発明のズームレンズを撮影光学系として用いたデジタルスチルカメラの実施例について図１３を用いて説明する。図１３において、２０はカメラ本体、２１は実施例１〜６で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する画像の情報を記録するメモリである。２４は液晶ディスプレイパネル等によって構成され、固体撮像素子２２上に形成された被写体像を観察するためのファインダである。このように本発明のズームレンズをデジタルスチルカメラ等の撮像装置に適用することにより、高倍率、広画角かつ小型で、色収差が良好に補正された撮像装置が得られる。
【符号の説明】
【００８８】
Ｌ１  第１レンズ群
Ｌ２  第２レンズ群
Ｌ３  第３レンズ群
Ｌ４  第４レンズ群
Ｌ５  第５レンズ群
ＳＰ  開口絞り
Ｇ  光学フィルター
ＩＰ  像面
ｄ  ｄ線
ｇ  ｇ線
Ｓ  サジタル像面
Ｍ  メリディオナル像面
ω  半画角
Ｆｎｏ  Ｆナンバー
【図１】
2015102803.tif 000004
【図２】
2015102803.tif 000005
【図３】
2015102803.tif 000006
【図４】
2015102803.tif 000007
【図５】
2015102803.tif 000008
【図６】
2015102803.tif 000009
【図７】
2015102803.tif 000010
【図８】
2015102803.tif 000011
【図９】
2015102803.tif 000012
【図１０】
2015102803.tif 000013
【図１１】
2015102803.tif 000014
【図１２】
2015102803.tif 000015
【図１３】
2015102803.tif 000016
【図１４】
2015102803.tif 000017